(57)【要約】通気性のあるヘルメットの気流制御弁装置【課題】通気性のある気流制御弁装置があることで、夏に涼しく、冬に暖かいという特長を持つ通気性のあるヘルメットを提供する。【解決手段】本発明の通気性のあるヘルメットは、通気性のある気流制御弁装置があることで、放熱効果がよく、保温効果もある両者兼用の設計になっている。ヘルメットの頂上部に弁があり、開いたり、閉まったりして、空気の流れを調整する。夏には、弁を前に押し、ヘルメット内の空気は大きい穴を通って、弁と雨よけの上の空間を向かって流れて行き、ヘルメット内の蒸し暑さを和らげる。冬には、弁を後ろに移し、雨よけにぴったりと合わせて密閉することにより、ヘルメット内の空気の流通を遮断し、ヘルメット両側の通気口を閉める。また、保温カバーがヘルメット外の冷たい空気の流入を避け、ヘルメット内を暖かく保つ。【選択図】図１
2005126845.tif 000002
【特許請求の範囲】
【請求項１】
通気性のあるヘルメット頂上部にある大きい穴後方に、気流制御弁装置があり、それは、支柱から軌道片が伸びていて、さらに、支柱両側に雨よけがあって、雨水が大きい穴に流れ込むのを防いでいて、同時に、その支柱は空気を導くカバーが受けるカを補強していて、弁本体は、軌道ブロックの両側に弁があり、さらに、軌道ブロックの頂上部には螺旋柱が、底部にはくぼんだ軌道溝があって、支柱の軌道片が往復運動できるようになっていて、
空気を導くカバーには長形穴があり、通気性のあるヘルメットの頂点に位置し、その長形穴からは、くぼんだ軌道溝の螺旋柱が突出して、さらに、ワッシャー、Ｃ型スプリングが軌道ブロックの螺旋柱に嵌り、ねじ穴のある円形ボタンと螺旋柱を固定して、円形ボタンを押しつけて、弁本体を固定位置にまで移動させ、Ｃ型スプリングのつっぱる力を利用して弁本体が動くのを防いでいて、また、通気性のあるヘルメット両側底部に分布する通気口には、突き出たプッシュブロックのある弁と、穴のあるカバーが取り付けられて、弁のプッシュブロックがスライドして空気を遮断したり、通気したりし、また、保温カバーは、布とスポンジからできていて、熱圧縮成型によりリング型をしていて、そのスポンジ層はリング型の詰め物を形成していて、その周囲には貼り付け線が伸びていて、貼り付け線の間には数個の粘着テープが取り付けられていて、ヘルメットの内側のフレームに取り付けて、外界から空気が進入しないようになっていて、保温効果を発揮するという特長を持つ、通気性のあるヘルメットの気流制御弁装置。
【請求項２】
気流制御弁装置は、円形ボタンが前に移動されると、軌道ブロックも移動し、その両側の弁と支柱両側の雨よけが空間を形成し、空気が流れて熱を発散して、また、通気性のあるヘルメット両側底部の位置にある弁のプッシュブロックを押して通気口を露出させると、空気が進入しヘルメット内部に対流が生じ、ヘルメット内の空気及び熱気は、各空気穴から進入し、通気道を経て大きい穴から排出され、気流はコントロールされて、気流制御弁装置の弁本体の弁及び雨よけの空間から排出されて熱を発散させるという特長を持つ、請求項１に記載の通気性のあるヘルメットの気流制御弁装置。
【請求項３】
気流制御弁装置は、円形ボタンが後ろに移動すると、軌道ブロックも移動し、その両側の弁及び支柱両側の雨よけがぴったりと重なって閉じ、空気が放出されるのを阻止して、また、通気性のあるヘルメット両側底部の弁の、プッシュブロックを押して閉じると、通気口から空気が流れ込むのを阻止して、ヘルメット内部を密閉し、保温効果を発揮し、通気性のあるヘルメットの熱気は、空気穴から通気道に流れ込み、大きい穴を通って、気流制御弁装置の弁本体の弁及び雨よけに達するだけで、空気の流れを阻止して保温効果を発揮するという特長を持つ、請求項１に記載の通気性のあるヘルメットの気流制御弁装置。
【請求項４】
保温カバーは極めて寒冷な気候において取り付け、その保温カバーの貼り付け線の間には、数個の粘着テープがあって、ヘルメットの内側のフレームに取り付けて、外界からの冷気を完全にシャットアウトし、ヘルメット内に流れ込まないようにしているので、保温効果に優れるという特長を持つ、請求項１に記載の通気性のあるヘルメットの気流制御弁装置。
【発明の詳細な説明】
【技術分野】
【０００１】
本発明は通気性のあるヘルメットの気流制御弁装置に関する。本発明の通気性のあるヘルメットの気流制御弁装置は、夏には涼しく、冬には暖かいという機能を持つ。気温の変化に応じて弁を前進、後退させて調整して、通気性と保温性をもたせて、気候の変化に対応するという特長を持つ。
【背景技術】
【０００２】
ヘルメットはバイクに乗る際に不可欠で、万一の場合に頭部を守る役割を果たす。しかしながら、ヘルメットに対するイメージは、通気性が悪く、放熱しにくいというものが一般的である。特に夏の高温下においては、不快さを通り越して苦痛でさえある。
そこで、業界では消費者のニーズに応えるべく、各種の通気性のあるヘルメットを設計、製作してきた。本発明の出願人も数年前に通気性のあるヘルメットに関して数件の特許を申請し、取得している。この前案は、登録第３０２５４７９号で、その安全性と通気性のよさで、消費者の好評を得ている。
しかしながら、ヘルメットの通気性は、冬の低温時には、頭部の温度を奪い非常に寒く感じるという欠点がある。特に、欧米、日本、中国本土などの、寒冷地では、その傾向が顕著である。故に、冬には通気性のないヘルメットを別に購入することになる。ところが、通気性のないヘルメットは、保温性は高いものの、やはり寒気がヘルメットの縁から入り込んでくるため、完全に保温できるとはいえない。
【特許文献１】登録第３０２５４７９号
【発明の開示】
【発明が解決しようとする課題】
【０００３】
通気性のある気流制御弁装置があることで、夏に涼しく、冬に暖かいという特長を持つ通気性のあるヘルメットを提供することを課題とする。
【課題を解決するための手段】
【０００４】
本発明の通気性のあるヘルメットは、通気性のある気流制御弁装置があることで、放熱効果がよく、保温効果もある、両者兼用の設計になっている。ヘルメットの頂上部に弁があり、開いたり、閉まったりして、空気の流れを調整する。夏には、弁を前に押し、ヘルメット内の空気は大きい穴を通って、弁と雨よけの上の空間を向かって流れて行き、ヘルメット内の蒸し暑さを和らげる。冬には、弁を後ろに移し、雨よけにぴったりと合わせて密閉することにより、ヘルメット内の空気の流通を遮断し、ヘルメット両側の通気口を閉める。また、保温カバーがヘルメット外の冷たい空気の流入を避け、ヘルメット内を暖かく保つ。したがって、本発明の通気性のあるヘルメットは、全天候性の製品である。
【発明の効果】
【０００５】
本発明の通気性のあるヘルメットは、通気性のある気流制御弁装置があることで、夏に涼しく、冬に暖かいという特長を持つ。つまり、本発明のヘルメットは、暑い時には熱を発散させて頭部を快適に保ち、寒い時には空気の流通を阻止して、保温効果を発揮し、頭部が冷えて不快を感じることがない。したがって、一つのヘルメットで夏も冬も兼用でき経済的であり、頭部を保護する目的も達していて、気温の変化によって頭部が不快に感じることもなく安全、且つ、実用的である。
【発明を実施するための最良の形態】
【０００６】
図１を参照いただきたい。本発明の通気性のあるヘルメットの気流制御弁装置は、通気性のあるヘルメット１０頂上部にある大きい穴１０１後方に、気流制御弁装置２０があり、それは、支柱２０１から軌道片２０１ａが伸びていて、さらに、支柱２０１両側に雨よけ２０１ｂがあって、雨水が大きい穴１０１に流れ込むのを防いでいる。また、その支柱２０１は空気を導くカバー４０が受ける力を補強している。弁本体２０２は、軌道ブロック２０２ａの両側に弁２０２ｂがあり、さらに、軌道ブロック２０２ａの頂上部には螺旋柱２０２ｄがある。そして、底部にはくぼんだ軌道溝２０２ｃがあって、支柱２０１の軌道片２０１ａが往復運動できるようになっている。空気を導くカバー４０には長形穴４０１があり、通気性のあるヘルメットの頂点に位置する。その長形穴４０１からは、くぼんだ軌道溝２０２ａの螺旋柱２０２ｄが突出する。さらに、ワッシャー３０、Ｃ型スプリング３１が軌道ブロック２０２ａの螺旋柱２０２ｄに嵌り、ねじ穴のある円形ボタン３２と螺旋柱２０２ｄを固定して、円形ボタン３２を押しつけて、弁本体２０２を固定位置にまで移動させ、Ｃ型スプリング３１のつっぱる力を利用して弁本体２０２が動くのを防いでいる。
【０００７】
また、通気性のあるヘルメット１０両側底部に分布する通気口１０３には、突き出たプッシュブロック５０１のある弁５０と、穴５０２ａのあるカバー５０２が取り付けられて、弁５０のプッシュブロック５０１がスライドして空気を遮断したり、通気したりする。
【０００８】
図６を参照いただきたい。また、保温カバー７０は、布とスポンジからできていて、熱圧縮成型によりリング型をしている。そのスポンジ層はリング型の詰め物７０１を形成していて、その周囲には貼り付け線７０２が伸びている。そして、貼り付け線７０２の間には数個の粘着テープ７０３が取り付けられていて、ヘルメットの内側のフレームに取り付けて、外界から空気が進入しないようになっていて、保温効果を発揮する。
【０００９】
図２及び図３を参照いただきたい。円形ボタン３２が前に移動されると、軌道ブロック２０２ａも移動する。その両側の弁２０２ｂと支柱２０１両側の雨よけ２０１ｂが空間を形成し、空気が流れて熱を発散する。また、通気性のあるヘルメット１０両側底部の位置にある弁５０のプッシュブロック５０１を押して通気口１０３を露出させると、空気が進入しヘルメット内部に対流が生じる。
【００１０】
図３を参照いただきたい。ヘルメット内の空気及び熱気は、各空気穴６０から進入し通気道６０１を経て大きい穴１０１から排出される。気流はコントロールされて、気流制御弁装置２０の弁本体２０２の弁２０２ｂ及び雨よけ２０１ｂの空間から排出されて熱を発散させるのである。
【００１１】
図４及び図５を参照いただきたい。円形ボタン３２が後ろに移動すると、軌道ブロック２０２ａも移動する。その両側の弁２０２ｂ及び支柱２０１両側の雨よけ２０１ｂがぴったりと重なって閉じ、空気が放出されるのを阻止する。また、通気性のあるヘルメット１０両側底部の弁５０の、プッシュブロック５０１を押して閉じると、通気口１０３から空気が流れ込むのを阻止して、ヘルメット内部を密閉し、保温効果を発揮する。
【００１２】
図５を参照いただきたい。通気性のあるヘルメットの熱気は、各空気穴６０から通気道６０１に流れ込み、大きい穴１０１を通って、気流制御弁装置２０の弁本体２０２の弁２０２ｂ及び雨よけ２０１ｂに達するだけで、空気の流れを阻止して保温効果を発揮する。
【００１３】
図６を参照いただきたい。保温カバーは、布とスポンジからできていて、熱圧縮成型によりリング型をしている。そのスポンジ層はリング型の詰め物７０１を形成していて、その周囲には貼り付け線７０２が伸びている。そして、貼り付け線７０２の間には数個の粘着テープ７０３が取り付けられていて、ヘルメットの内側のフレームに取り付けるようになっている。
【００１４】
図７を参照いただきたい。極めて寒冷な気候においては、保温カバー７０を取り付ける。その貼り付け線７０２の間には、数個の粘着テープ７０３があって、ヘルメットの内側のフレームに取り付けて、外界からの冷気を完全にシャットアウトし、ヘルメット内に流れ込まないようにしている。したがって、保温効果に優れ、頭部が冷えて不快を感じることがない。
【図面の簡単な説明】
【００１５】
【図１】本発明の通気性のあるヘルメットの構造の立体分解図である。
【図２】本発明の通気性のあるヘルメットの、通気状態における、気流制御弁の立体図である。
【図３】本発明の通気性のあるヘルメットの、通気状態における、気流制御弁の断面図である。
【図４】本発明の通気性のあるヘルメットの、非通気状態における、気流制御弁の立体図である。
【図５】本発明の通気性のあるヘルメットの、非通気状態における、気流制御弁の断面図である。
【図６】本発明の保温カバーの立体断面図である。
【図７】本発明の通気性のあるヘルメットの、非通気状態における気流制御弁と、保温カバーを取り付けた様子を示した断面図である。
【符号の説明】
【００１６】
１０  通気性のあるヘルメット  １０１  大きい穴
２０  気流制御弁装置          １０３  通気口
２０１  支柱                  ２０１ａ  軌道片
２０１ｂ  雨よけ              ２０２  弁本体
２０２ａ  軌道ブロック        ２０２ｂ  弁
２０２ｃ  くぼんだ軌道溝      ２０２ｄ  螺旋柱
３０  ワッシヤー              ３１  Ｃ型スプリング
３２  円形ボタン              ４０  空気を導くカバー
４０１  長形穴                ５０    弁
５０１  プッシュブロック      ５０２  カバー
５０２ａ  穴                  ６０  空気穴
６０１  通気道                ７０  保温カバー
７０１  リング型の詰め物      ７０２  貼り付け線
７０３  粘着テープ
【図１】
2005126845.tif 000003
【図２】
2005126845.tif 000004
【図３】
2005126845.tif 000005
【図４】
2005126845.tif 000006
【図５】
2005126845.tif 000007
【図６】
2005126845.tif 000008
【図７】
2005126845.tif 000009
【手続補正書】
【提出日】平成16年1月6日(2004.1.6)
【手続補正１】
【補正対象書類名】図面
【補正対象項目名】図２
【補正方法】変更
【補正の内容】
【図２】
2005126845.tif 000010
【手続補正２】
【補正対象書類名】図面
【補正対象項目名】図４
【補正方法】変更
【補正の内容】
【図４】
2005126845.tif 000011
【手続補正３】
【補正対象書類名】図面
【補正対象項目名】図６
【補正方法】変更
【補正の内容】
【図６】
2005126845.tif 000012